(57)【要約】【課題】使用時の快適性をより向上させることのできるヘアケア装置を提供する。【解決手段】ヘアケア装置１は、ブラシ部２を備えている。ブラシ部２は、複数の棒状部材（毛状部材１２）と、第１突起形成部２１と、第２突起形成部３１ａ・３１ｂとを有している。第１突起形成部２１は、複数の第１突起２２を有している。第２突起形成部３１ａ・３１ｂは、複数の第２突起３２を有している。第２突起３２は、棒状部材よりも熱伝導率が高く、かつ、第１突起２２よりも背の高い構成となっている。【選択図】図１
2019122541.tif 000002
【特許請求の範囲】
【請求項１】
複数の棒状部材と、
第１突起を有する第１突起形成部と、
前記棒状部材よりも熱伝導率が高く、かつ、前記第１突起よりも背の高い第２突起を有する第２突起形成部と
を有するブラシ部を備えている、ヘアケア装置。
【請求項２】
前記第１突起を加熱するための第１加熱部をさらに備え、
前記第２突起は、前記第１突起よりも温度が低い、
請求項１に記載のヘアケア装置。
【請求項３】
前記第２突起を加熱するための第２加熱部と、
前記第１加熱部および前記第２加熱部を制御する制御部と
をさらに備え、
前記制御部は、前記第１加熱部がＯＮ状態のときに、前記第２加熱部のＯＮ状態とＯＦＦ状態とを切り換え可能となっている、請求項２に記載のヘアケア装置。
【請求項４】
前記第２突起は、弾性部材によって支持されている、請求項１から３の何れか１項に記載のヘアケア装置。
【請求項５】
前記第１突起は、固定されている、請求項４に記載のヘアケア装置。
【請求項６】
前記ブラシ部は、
前記複数の棒状部材が配列されている第１ブラシ形成部と、
前記第１ブラシ形成部に略平行に配置され、前記複数の棒状部材が配列されている第２ブラシ形成部と
を有しており、
前記第１ブラシ形成部と前記第２ブラシ形成部との間に、前記第１突起形成部および前記第２突起形成部が配置されている、
請求項１から５の何れか１項に記載のヘアケア装置。
【請求項７】
帯電粒子発生部をさらに備え、
前記ブラシ部には、前記帯電粒子発生部で生成された帯電粒子が放出される吹き出し口が設けられており、
前記吹き出し口は、前記第１ブラシ形成部および前記第２ブラシ形成部の外側に配置されている、請求項６に記載のヘアケア装置。
【発明の詳細な説明】
【技術分野】
【０００１】
本発明は、ヘアケア装置に関し、より具体的には、ヘアケア装置のブラシ部の構成に関する。
【背景技術】
【０００２】
ヘアドライヤは、一端の吸気口から吸入した空気を加温して他端の排気口から排出することにより、温風を放出する。使用者は、ヘアドライヤからの温風を毛髪に当てることにより、毛髪を乾燥させる。近年のヘアドライヤには、温風を吐出して髪の乾燥やセットを行うだけでなく、イオンなどの帯電粒子を含んだ風を送風することにより毛髪および頭皮のケア機能を備えているものがある。このようなケア機能を有するヘアドライヤは、ヘアケア装置とも呼ばれる。
【０００３】
特許文献１には、帯電粒子を送出するヘアケア装置が開示されている。このヘアケア装置は使用者が把持する柱状の把持部（ヘアドライヤ）と、把持部の軸方向に着脱可能に連結されるブラシ部とを備えている。ブラシ部の周面には周方向の一部を除く約半周の範囲に多数のブラシ毛材が立設されている。
【先行技術文献】
【特許文献】
【０００４】
【特許文献１】特開２０１４−１３５９６４号公報
【発明の概要】
【発明が解決しようとする課題】
【０００５】
また、ヘアケア装置の中には、ブラシ部を用いて毛髪をブラッシングするための目的に加えて、頭皮のマッサージにも利用可能なものが提案されている。このようなヘアケア装置には、ヘアドライヤに取り付けられるブラシ部に、ブラシ毛材とは異なるマッサージ用の突起を設けることが検討されている。ヘアケア装置の使用時に、突起は使用者の頭部に接触して、使用者の頭部を刺激する。
【０００６】
このように、突起が頭部に接触して頭部を刺激するような構成を有するヘアケア装置においては、使用時の快適性のさらなる向上が求められている。
【０００７】
そこで、本発明では、使用時の快適性をより向上させることのできるヘアケア装置を提供する。
【課題を解決するための手段】
【０００８】
本発明の一局面にかかるヘアケア装置は、複数の棒状部材と、第１突起を有する第１突起形成部と、前記棒状部材よりも熱伝導率が高く、かつ、前記第１突起よりも背の高い第２突起を有する第２突起形成部とを有するブラシ部を備えている。
【発明の効果】
【０００９】
本発明の一局面にかかるヘアケア装置によれば、使用時の快適性をより向上させることができる。
【図面の簡単な説明】
【００１０】
【図１】本発明の一実施形態にかかるヘアケア装置の外観構成を示す斜視図である。
【図２】図１に示すヘアケア装置の外観構成を示す平面図である。
【図３】図１に示すヘアケア装置の外観構成を示す平面図である。
【図４】図１に示すヘアケア装置の内部構成を示す断面図である。この図は、図２に示すヘアケア装置のＡ−Ａ線部分の断面構造を示す図である。
【図５】図１に示すヘアケア装置に内部構成を示す断面図である。この図は、図２に示すヘアケア装置のＢ−Ｂ線部分の断面構造を示す図である。
【図６】本発明の一実施形態にかかるヘアケア装置の内部構成を示すブロック図である。
【図７】本発明の第２の実施形態にかかるヘアケア装置の内部構成を示す断面図である。この図は、図２のＡ−Ａ線部分に相当する部分の断面構造を示す図である。
【図８】本発明の第３の実施形態にかかるヘアケア装置の内部構成を示す断面図である。この図は、図２のＢ−Ｂ線部分に相当する部分の断面構造を示す図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
＜第１の実施形態＞
本実施形態では、携帯用（コードレス）のヘアケア装置を例に挙げて説明する。但し、本発明のヘアケア装置はコードレスのものに限定されない。本実施形態にかかるヘアケア装置１は、ドライヤの機能とブラッシングの機能とを有する。また、本実施形態のヘアケア装置１は、毛髪をブラッシングしながら乾燥させるという用途だけではなく、毛髪および頭皮のマッサージなどの用途にも用いられる。したがって、本実施形態にかかるヘアケア装置は、ヘアドライヤの一種でもあり、かつ、頭皮ケア装置の一種でもある。
【００１３】
（ヘアケア装置の外観構成）
先ず、本実施の形態にかかるヘアケア装置１の外観構成について、図１を用いて説明する。図１は、ヘアケア装置１の斜視図である。
【００１４】
図１に示すように、ヘアケア装置１は、主として、ブラシ部２と、把持部３とで構成されている。なお、ヘアケア装置１の外形は、略柱状の筐体１０で構成されている（図５参照）。本実施形態では、ブラシ部２と把持部３とは一体型の構成となっている。しかし、本発明の別の態様では、把持部３からブラシ部２を取り外し可能な構成とすることもできる。なお、ブラシ部２が取り外し可能な場合には、ブラシ部２とは異なる形状のブラシ（例えば、カールブラシ）を把持部３に取り付けることもできる。
【００１５】
本明細書では、説明の便宜上、略柱状のヘアケア装置１の長手方向に沿って、ブラシ部２が設けられている側の端部をヘアケア装置１の上端部と呼び、把持部３が設けられている側の端部をヘアケア装置１の下端部と呼ぶ。
【００１６】
ブラシ部２は、略直方体形状の本体部を有している。そして、本体部の一側面が植毛面（突起の立設面）となっている。ブラシ部２の植毛面には、毛状部材（棒状部材）１２、第１突起形成部２１、第２突起形成部３１ａ・３１ｂ、吹き出し口４１ａ・４１ｂなどが設けられている。
【００１７】
把持部３は、略柱状の外形を有する。本実施形態では、把持部３は略直方体の形状を有している。しかし、他の構成例では、把持部３は略円柱形状であってもよい。
【００１８】
把持部３には、空気の吸い込み口（図示せず）が設けられている。吸い込み口は、例えば、把持部３の下端部に設けられている。
【００１９】
把持部３の一側面には、操作部７６（図１では図示せず）が設けられている。ヘアケア装置１の使用時に、ユーザが操作部７６を操作することで、ヘアケア装置１が動作を開始したり停止したりする。また、操作部が操作されることで、吹き出し口４１ａ・４１ｂから吹き出す風の種類（温風／冷風）および風量などが調節される。
【００２０】
本実施形態にかかるヘアケア装置１は、コードレス形式のものである。そのため、把持部３の内部に電池（図示せず）を備えている。なお、有線形式のヘアケア装置の場合には、例えば、把持部３の下端部に電源コードが設けられている。
【００２１】
（ブラシ部の具体的な構成）
続いて、ブラシ部２のより具体的な構成について、図１から図３を参照しながら説明する。図２は、ヘアケア装置１を植毛面側から見た平面図である。図３は、ヘアケア装置１を、ブラシ部２の上端部側から見た側面図である。
【００２２】
上述したように、ブラシ部２には、毛状部材（棒状部材）１２、第１突起形成部２１、第２突起形成部３１ａ・３１ｂ、吹き出し口４１ａ・４１ｂなどが設けられている。
【００２３】
毛状部材１２は、植毛面から略垂直に立設している。本実施形態では、毛状部材１２は、ヘアケア装置１の長手方向に沿って列状に複数個配置されており、第１ブラシ形成部１１ａおよび第２ブラシ形成部１１ｂをそれぞれ形成している（図２参照）。また、第１ブラシ形成部１１ａと、第２ブラシ形成部１１ｂとは、互いに略平行に配置されている。
【００２４】
毛状部材１２は、例えば、柔軟性を有する樹脂材料で形成されている。各毛状部材１２は、径の細い複数本の毛で構成されていてもよいし、比較的径の大きい１本の毛で構成されていてもよい。ヘアケア装置１の使用時、毛状部材１２は、毛髪をブラッシングするために主に利用される。
【００２５】
第１突起形成部２１には、複数個の第１突起２２が配置されている。複数個の第１突起２２は、ヘアケア装置１の長手方向に沿って列状に配置されている（図２参照）。本実施形態では、第１突起２２が列状に並んで形成された第１突起形成部２１は、ブラシ部２の植毛面の短手方向の略中央部に位置している。
【００２６】
第１突起２２は、四角形の板（平板）状の形状を有している。そして、板状の各第１突起２２は、互いに略平行に配置されている（図２参照）。
【００２７】
より具体的には、平板状の各第１突起２２の長手方向が、ブラシ部２の短手方向に沿うように配置されている。そして、ブラシ部２の短手方向に沿って、第１突起２２の両側には、第２突起３２が配置されている。さらに、ブラシ部２の短手方向に沿って、第２突起３２の配列の外側には、毛状部材１２が配置されている。
【００２８】
また、本実施形態では、各第１突起２２は、第２突起形成部３１ａおよび３１ｂ上に列状に並んだ各第２突起３２とは、ブラシ部２の短手方向において互いずれるような位置関係で配置されている（図２参照）。すなわち、ヘアケア装置１をその長手方向の側面から見たときに、第２突起形成部３１ａまたは３１ｂにおいて隣接して配置された２つの第２突起３２の間に第１突起２２が位置するように、第１突起２２および第２突起３２は配置されている。また、各毛状部材１２は、第２突起形成部３１ａおよび３１ｂ上に列状に並んだ各第２突起３２とは、ブラシ部２の短手方向において互いずれるような位置関係で配置されている（図２参照）。
【００２９】
但し、各第１突起２２、各第２突起３２、および各毛状部材１２の配置位置は、上述のものに限定されない。例えば、本発明の別の態様では、各第１突起２２、各第２突起３２、および各毛状部材１２が、ヘアケア装置１をその長手方向の側面から見たときに、全て同じ位置になるように配置されていてもよい。またあるいは、隣接する第１突起２２同士の間隔、隣接する第２突起３２同士の間隔、および隣接する毛状部材１２同士の間隔が、全て異なっていてもよい。
【００３０】
また、第１突起２２の植毛面からの高さは、毛状部材１２および第２突起３２と比較して最も低くなっている（図３参照）。
【００３１】
このように、第１突起２２の植毛面からの高さが、他の突起物と比較して最も低くなっていることで、ヘアケア装置１の使用時に、第１突起２２が頭皮に接触することを回避することができる。言い換えれば、第１突起２２が頭皮に接触しにくくなるように、第１突起２２の植毛面からの高さが設定されていればよい。後述するように、ヘアケア装置１の使用時、毛髪のスタイリングをより行い易くするために、第１突起２２は、約１００℃以上の温度に加熱されることが好ましい。第１突起２２の背の高さが第２突起３２の背の高さよりも低くなっていることで、高温の第１突起２２が頭皮に接触することを抑えることができる。
【００３２】
また、第１突起２２の配列のうち、長手方向の両端に位置する第１突起２２は、第２突起３２の配列中の長手方向の両端に位置する第２突起３２よりも中央寄りに配置することが好ましい。これにより、第１突起２２が頭皮により触れにくい構成とすることができる。
【００３３】
第１突起２２は、毛状部材１２よりも熱伝導率の高い材料（例えば、１０Ｗ／（ｍ・Ｋ）以上の熱伝導率を有する材料）で形成されている。このような材料としては、例えば、鉄、ニッケル、チタン、ステンレス、銅などの金属材料（合金材料を含む）、ダイヤモンドなどの鉱石材料、セラミックスなどの陶磁器材料などが挙げられる。また、第１突起２２は、熱伝導率の高いシリコン樹脂で形成されていてもよい。
【００３４】
第２突起形成部３１ａ・３１ｂには、複数個の第２突起３２が配置されている。複数個の第２突起３２は、ヘアケア装置１の長手方向に沿って列状に配置され、第２突起形成部３１ａおよび第２突起形成部３１ｂをそれぞれ形成している（図２参照）。本実施形態では、一方の第２突起形成部３１ａは、第１突起形成部２１を間に挟んで、他方の第２突起形成部３１ｂと略平行に配置されている。
【００３５】
第２突起３２は、棒状の形状を有している。そして、第２突起３２の植毛面からの高さは、毛状部材１２および第１突起２２と比較して最も高くなっている（図３参照）。
【００３６】
これにより、ヘアケア装置１の使用時に、第２突起３２の先端部分を、頭皮などの施術箇所に接触しやすくすることができる。ここで、施術箇所とは、ユーザの頭部（具体的には、頭皮など）の一部分であって、ヘアケア装置１を用いて重点的にマッサージまたは刺激される場所のことを意味する。一方、第１突起２２は、第２突起３２よりも背の低い構造を有しているため、ヘアケア装置１の使用時に、頭皮などの施術箇所への接触を回避しやすくすることができる。また、毛状部材１２は、第１突起２２と第２突起３２との中間の高さを有しているため、ヘアケア装置１の使用時に、頭皮への接触の可能性は低減させつつ、毛髪をブラッシング可能な距離とすることができる。
【００３７】
また、第２突起３２は、毛状部材１２よりも熱伝導率の高い材料（例えば、１０Ｗ／（ｍ・Ｋ）以上の熱伝導率を有する材料）で形成されている。このような材料としては、例えば、鉄、ニッケル、チタン、ステンレス、銅などの金属材料（合金材料を含む）、ダイヤモンドなどの鉱石材料、セラミックスなどの陶磁器材料などが挙げられる。第２突起３２は、第１突起２２と同じ材料で形成されていてもよいし、異なる材料で形成されていてもよい。なお、後述するように、第２突起３２は、第１突起２２よりも温度が低くなるように温度調整されている。
【００３８】
吹き出し口４１ａ・４１ｂは、把持部３内で生成される風およびイオンを外部へ放出する。吹き出し口４１ａ・４１ｂは、植毛面の短手方向の両端部に沿って配置されている。
【００３９】
以上のように、本実施形態では、第１突起形成部２１、各第２突起形成部３１ａおよび３１ｂ、第１ブラシ形成部１１ａ、第２ブラシ形成部１１ｂ、並びに各吹き出し口４１ａおよび４１ｂが、ブラシ部２の植毛面の長手方向に沿って略平行にそれぞれ配置されている。そして、吹き出し口４１ａおよび吹き出し口４１ｂが植毛面の短手方向の両端部に配置され、これらの間に、第１突起形成部２１、各第２突起形成部３１ａおよび３１ｂ、第１ブラシ形成部１１ａ、並びに第２ブラシ形成部１１ｂが配置されている。さらに、第１ブラシ形成部１１ａと第２ブラシ形成部１１ｂとの間に、第１突起形成部２１、並びに、各第２突起形成部３１ａおよび３１ｂが配置されている。
【００４０】
なお、第１突起形成部２１、各第２突起形成部３１ａおよび３１ｂ、第１ブラシ形成部１１ａ、第２ブラシ形成部１１ｂ、並びに各吹き出し口４１ａおよび４１ｂの配置は、上述のものに限定はされない。本発明の一態様では、以下のような構成とすることもできる。
【００４１】
例えば、第１突起２２が一列に並んでいる第１突起形成部２１の両側に、複数列（例えば、二列）に第２突起３２が並んでいる第２突起形成部３１ａおよび３１ｂが配置されている構成も可能である。すなわち、植毛面に、全部で４列以上の第２突起３２の列が設けられていてもよい。このような構成の場合において、毛状部材１２は、本実施形態と同様に、ブラシ部２の短手方向の第２突起形成部３１ａおよび３１ｂよりも外側の両脇に設けられていることが好ましい。
【００４２】
さらに他の構成として、植毛面に第１突起２２が複数列設けられている構成も可能である。具体的には、ブラシ部２の短手方向に沿って、第２突起３２、第１突起２２、第２突起３２、第１突起２２、第２突起３２という配置順で、２列の第１突起２２と３列の第２突起３２が設けられている構成も可能である。すなわち、第２突起３２の列が短手方向の両端に位置し、その間に第１突起２２の列と第２突起３２の列とが交互に配置されている構成も可能である。なお、このような構成の場合においても、毛状部材１２は、本実施形態と同様に、ブラシ部２の短手方向の第２突起形成部３１ａおよび３１ｂよりも外側の両脇に設けられていることが好ましい。
【００４３】
また、本実施形態では、吹き出し口４１ａおよび吹き出し口４１ｂが植毛面の短手方向の両端部にのみ設けられている構成を例に挙げている。しかし、本発明の一態様では、吹き出し口は、植毛面の両端部以外の場所に設けられていてもよい。
【００４４】
（ブラシ部の内部構成）
続いて、ブラシ部２の内部構成について、図４を参照しながら説明する。図４には、図２に示すブラシ部２のＡ−Ａ線部分の断面構成を示す。
【００４５】
図４に示すように、ブラシ部２の外形、および植毛面の一部は、筐体１０で形成されている。筐体１０は、比較的剛性を有するプラスチックなどの樹脂材料で形成されている。
【００４６】
第１突起２２を有する第１突起形成部２１は、筐体１０によって支持されている。したがって、ヘアケア装置１の使用時、第１突起２２は、植毛面に対して略位置を変えない状態で固定されている。
【００４７】
一方、第２突起３２を有する第２突起形成部３１ａおよび３１ｂは、弾性部材３５で形成されている。これにより、第２突起３２は、弾性部材３５によって支持される。したがって、ヘアケア装置１の使用時、第２突起３２は、植毛面に対してわずかに位置を変えることができる。これにより、第２突起３２が頭皮などの施術箇所に当たったときの感触を和らげ、使用時の快適性を向上させることができる。弾性部材３５は、例えば、ポリプロピレン（ＰＰ）、ポリスチレン（ＰＳ）などの弾性を有する樹脂材料で形成することができる。
【００４８】
毛状部材１２は、筐体１０に埋め込まれるように配置されている。また、吹き出し口４１ａ・４１ｂは、筐体１０に開口を形成することによって形成される。
【００４９】
また、第１突起形成部２１には、第１ヒータ（第１加熱部）７３および熱伝導部材２５が備えられている。第１ヒータ７３は、第１突起２２を加熱するための熱源となる。熱伝導部材２５は、第１ヒータ７３と第１突起２２との間に配置されている。第１ヒータ７３によって生成された熱は、熱伝導部材２５を介して第１突起２２へ伝達される。熱伝導部材２５は、熱伝導率の高い材料（例えば、１０Ｗ／（ｍ・Ｋ）以上の熱伝導率を有する材料）で形成されている。なお、第１突起２２と熱伝導部材２５とは、異なる材料で形成されていてもよいし、同じ材料で形成されていてもよい。また、第１突起２２と熱伝導部材２５とは、一体成形されていてもよい。
【００５０】
また、第２突起形成部３１ａ・３１ｂには、第２ヒータ（第２加熱部）７４が備えられている。第２ヒータ７４は、第２突起３２を加熱するための熱源となる。
【００５１】
（ヘアケア装置の内部構成および各突起の温度制御）
続いて、ヘアケア装置１の内部構成について、図５および図６を参照しながら説明する。図５には、図２に示すヘアケア装置１のＢ−Ｂ線部分の断面構成を示す。図６には、ヘアケア装置１の内部構成を示す。
【００５２】
図５および図６に示すように、ヘアケア装置１は、制御部７１、温風発生部７２、第１ヒータ（第１加熱部）７３、第２ヒータ（第２加熱部）７４、イオン供給部（帯電粒子発生部）７５、および操作部７６などを備えている。
【００５３】
制御部７１は、把持部３の内部に配置されている。制御部７１は、操作部７６で操作された内容に応じて、温風発生部７２、第１ヒータ７３、第２ヒータ７４、およびイオン供給部７５などの動作を制御する。
【００５４】
温風発生部７２は、把持部３の内部に配置されている（図５参照）。温風発生部７２は、吸い込み口（図示せず）および吹き出し口４１ａ・４１ｂと連通している。温風発生部７２は、主な構成部材として、ファン、ヒータ、およびファンを駆動するモータなどを有している。ヘアケア装置１の稼働時、モータの駆動力によってファンが回転する。これにより、吸い込み口から吹き出し口４１ａ・４１ｂへと向かう空気の流れが形成される。
【００５５】
また、ヘアケア装置１の稼働時、温風発生部７２内のヒータが稼働することで、ヘアケア装置１の内部に取り込まれた空気が加熱される。これにより、吹き出し口４１ａ・４１ｂからは、温風が送出される。なお、ヘアケア装置１の稼働時に、ヒータの運転を停止させることもできる。この場合には、吹き出し口４１ａ・４１ｂからは、冷風が送出される。
【００５６】
第１ヒータ７３は、第１突起２２と接続されており、第１突起２２を加熱する。第１ヒータ７３は、制御部７１によって、ＯＮ／ＯＦＦの動作が制御される。また、第１ヒータ７３は、第２ヒータ７４よりも高い温度での加熱が可能である。これにより、第１突起２２の温度を、例えば、１００℃以上に加熱することができる。また、第１ヒータ７３は、第１突起２２の温度を、１５０℃以上１８０℃以下に加熱することが好ましい。これにより、毛髪のスタイリングおよびセットをより行い易くすることができる。
【００５７】
第２ヒータ７４は、第２突起３２と接続されており、第２突起３２を加熱する。第２ヒータ７４は、制御部７１によって、ＯＮ／ＯＦＦの動作が制御される。第２ヒータ７４は、第１ヒータ７３よりも低い温度（例えば、３５℃以上４０℃以下の範囲内の温度）に加熱される。
【００５８】
上述したように、第２突起３２の植毛面からの高さは、毛状部材１２および第１突起２２と比較して最も高くなっている。そのため、ヘアケア装置１の使用時に、第２突起３２は、頭皮および毛髪に最も接触しやすい。そこで、第２ヒータ７４を用いて第２突起３２を適度な温度に加熱することで、使用時の快適性を向上させることができる。
【００５９】
また、本実施形態にかかるヘアケア装置１では、制御部７１は、第１ヒータ７３および第２ヒータ７４のＯＮ／ＯＦＦの制御を個別に行うことができる。例えば、制御部７１は、第１ヒータ７３がＯＮ状態のときに、第２ヒータ７４のＯＮ状態とＯＦＦ状態とを切り換えることができる。
【００６０】
この構成によれば、例えば、夏場などの気温が比較的高いときには、第１ヒータ７３をＯＮ状態として第１突起２２を、例えば、約１００℃以上に加熱させた状態で、第２ヒータ７４をＯＦＦ状態とすることで、第２突起３２を低温の状態に維持することができる。これにより、頭皮と接触する第２突起３２は、ユーザに対してある程度の冷たさを感じさせつつ、第１突起２２を高温に維持して、毛髪のスタイリングを行うことができる。一方、冬場などの気温が比較的低いときには、第１ヒータ７３をＯＮ状態として第１突起２２を、例えば、約１００℃以上に加熱させた状態で、第２ヒータ７４をＯＮ状態として、第２突起３２を約３５℃から約４０℃程度に加熱させることができる。これにより、頭皮と接触する第２突起３２は、ユーザに対してある程度の温かさを感じさせつつ、第１突起２２を高温に維持して、毛髪のスタイリングを行うことができる。
【００６１】
イオン供給部（帯電粒子発生部）７５は、把持部３の内部に配置されている（図５参照）。
【００６２】
イオン供給部７５は、正（＋）イオン（例えば、Ｈ＋（Ｈ２Ｏ）ｍ（ｍは任意の自然数））および負（−）イオン（例えば、Ｏ２−（Ｈ２Ｏ）ｎ（ｎは任意の自然数））の少なくとも何れかを発生する。ヘアケア装置１にイオン供給部７５が備えられていることで、吹き出し口４１ａ・４１ｂから吹き出す風にイオンを含有させることができる。ヘアケア装置１から吹き出す風にイオンが含まれていることで、施術される頭皮のうるおいを保つなど、頭皮環境を整えることができる。また、施術される毛髪のうるおいをキープしたり、キューティクルを引き締めたりして毛髪のダメージを抑え、トリートメント効果を得ることができる。また、ヘアケア装置１から吹き出す風にイオンが含まれていることで、除電（静電気抑制）の効果も得られる。
【００６３】
なお、本発明の一態様のヘアケア装置に備えられる帯電粒子発生部は、イオン供給部に限定されるものではなく、放電により、イオン、電子、オゾン、ラジカル、活性種などを発生させる放電装置であればよい。また、帯電粒子発生装置がイオンを発生させる場合は、正イオンと負イオンの両方を発生させる構成であっても、正イオンあるいは負イオンの何れか一方を発生させる構成であってもよい。
【００６４】
操作部７６は、ユーザによって操作される。操作部７６における操作情報は、制御部７１へ送信される。
【００６５】
以上の構成により、ヘアケア装置１の吹き出し口４１ａ・４１ｂから風（温風または冷風）を吹き出すことができる。また、ブラシ部２に設けられた第１突起２２および第２突起３２を加熱することができる。これにより、ヘアケア装置１を用いて、毛髪のセット、スタイリング、ブローなど行うことができる。また、毛髪が濡れている場合には、吹き出し口４１ａ・４１ｂからの風を用いて毛髪を乾燥させることもできる。
【００６６】
（第１の実施形態のまとめ）
以上のように、本実施形態にかかるヘアケア装置１は、ブラシ部２と把持部３とを有している。ブラシ部２には、毛状部材１２、第１突起形成部２１、第２突起形成部３１ａ・３１ｂ、吹き出し口４１ａ・４１ｂなどが設けられている。
【００６７】
第１突起形成部２１は、複数の第１突起２２を有している。第１突起２２は、毛状部材１２よりも熱伝導率の高い材料（例えば、金属材料、鉱石材料、陶磁器材料など）で形成されている。これにより、第１ヒータ７３を用いて第１突起２２を加熱したときに、第１突起２２を比較的高温にすることができる。そのため、ヘアケア装置１を用いた毛髪のスタイリングが行い易くなる。
【００６８】
第２突起形成部３１ａ・３１ｂは、複数の第２突起３２を有している。第２突起３２は、毛状部材１２よりも熱伝導率の高い材料（例えば、金属材料、鉱石材料、陶磁器材料など）で形成されている。
【００６９】
また、第２突起３２は、第１突起２２よりも背が高い。そのため、ヘアケア装置１の使用時に、第２突起３２は、頭皮および毛髪により当たりやすい。
【００７０】
以上のように、第２突起３２は、毛状部材１２よりも熱伝導率が高い。すなわち、第２突起３２は、毛状部材１２と比較して、熱が伝わりやすい。そのため、吹き出し口４１ａ・４１ｂから温かい風が吹き出された場合には、第２突起３２は毛状部材１２よりも温度が高くなる傾向にある。一方、吹き出し口４１ａ・４１ｂから冷たい風が吹き出された場合には、第２突起３２は毛状部材１２よりも温度が低くなる傾向にある。第２突起３２は、頭皮などの施術箇所に接触するため、ヘアケア装置１を使用するユーザは、温冷（温かさまたは冷たさ）をより感じやすい。そのため、第２ヒータ７４のＯＮ／ＯＦＦを適宜切り換えて第２突起３２を温めたり冷やしたりすることで、使用時の快適性を向上させることができる。
【００７１】
＜第２の実施形態＞
続いて、本発明の第２の実施形態について説明する。第１の実施形態では、イオン供給部７５を備えているヘアケア装置１を例に挙げて説明した。しかし、本発明の一態様では、イオン供給部は備えられていなくてもよい。そこで、以下では、イオン供給部を備えていないヘアケア装置１０１を例に挙げて説明する。
【００７２】
図７には、第２の実施形態にかかるヘアケア装置１０１の内部構成を示す。ヘアケア装置１０１は、主として、ブラシ部２と、把持部３とで構成されている。
【００７３】
ブラシ部２には、毛状部材（棒状部材）１２、第１突起形成部２１（図示せず）、第２突起形成部３１ａ・３１ｂ（図示せず）、吹き出し口４１ａ・４１ｂ（図示せず）などが設けられている。第１突起形成部２１は、第１突起２２などを有している。第２突起形成部３１ａ・３１ｂは、第２突起３２などを有している。第１突起２２は、第１ヒータ（第１加熱部）７３によって加熱される。第２突起３２は、第２ヒータ（第２加熱部）７４によって加熱される。ブラシ部２の構成は、第１の実施形態と同様の構成が適用できる。
【００７４】
把持部３には、制御部７１（図示せず）、温風発生部７２、および操作部７６などが備えられている。イオン供給部を備えていないこと以外は、把持部３の構成は、第１の実施形態の把持部３と同様である。
【００７５】
また、第１の実施形態と同様に、第２突起３２は、毛状部材１２よりも熱伝導率が高い。すなわち、第２突起３２は、毛状部材１２と比較して、熱が伝わりやすい。そのため、吹き出し口４１ａ・４１ｂから温かい風が吹き出された場合には、第２突起３２は毛状部材１２よりも温度が高くなる傾向にある。一方、吹き出し口４１ａ・４１ｂから冷たい風が吹き出された場合には、第２突起３２は毛状部材１２よりも温度が低くなる傾向にある。第２突起３２は、頭皮などの施術箇所に接触するため、ヘアケア装置１を使用するユーザは、温冷（温かさまたは冷たさ）をより感じやすい。そのため、第２ヒータ７４のＯＮ／ＯＦＦを適宜切り換えて第２突起３２を温めたり冷やしたりすることで、使用時の快適性を向上させることができる。
【００７６】
＜第３の実施形態＞
続いて、本発明の第３の実施形態について説明する。第３の実施形態にかかるヘアケア装置２０１では、ブラシ部２０２の構成が第１の実施形態とは異なっている。そこで、以下では、ブラシ部２０２の構成を中心に説明する。
【００７７】
図８には、第３の実施形態にかかるヘアケア装置２０１の内部構成を示す。ヘアケア装置２０１は、主として、ブラシ部２０２と、把持部３とで構成されている。ヘアケア装置２０１の外形は、略柱状の筐体１０で構成されている。
【００７８】
ブラシ部２０２は、略直方体形状の本体部を有している。そして、本体部の一側面が植毛面（突起の立設面）となっている。ブラシ部２０２の植毛面には、毛状部材（棒状部材）１２、第１突起形成部２１、第２突起形成部２３１ａ・２３１ｂ、吹き出し口４１ａ・４１ｂなどが設けられている。毛状部材（棒状部材）１２、第１突起形成部２１、および吹き出し口４１ａ・４１ｂについては、第１の実施形態と同様の構成が適用できる。
【００７９】
第２突起形成部２３１ａ・２３１ｂは、弾性部材２３５および第２突起２３２を有している。弾性部材２３５は、第２突起２３２の土台となる部材である。第２突起２３２は、弾性部材２３５によって支持されている。これにより、ヘアケア装置２０１の使用時、第２突起２３２が頭皮などの施術箇所に当たったときの感触を和らげ、使用時の快適性を向上させることができる。
【００８０】
なお、第１の実施形態では、第２突起形成部３１ａ・３１ｂには、第２突起３２を加熱するための熱源として第２ヒータ７４が備えられている。これに対して、本実施形態にかかるヘアケア装置２０１では、第２突起２３２に熱源は設けられていない。
【００８１】
第２突起２３２は、第１の実施形態と同様に、毛状部材１２よりも熱伝導率の高い材料（例えば、金属材料、鉱石材料、陶磁器材料など）で形成されている。
【００８２】
また、第２突起２３２は、第１突起２２よりも背が高い。そのため、ヘアケア装置１の使用時に、第２突起３２は、頭皮および毛髪により当たりやすい。
【００８３】
以上のように、第２突起２３２は、毛状部材１２よりも熱伝導率が高い。すなわち、第２突起２３２は、毛状部材１２と比較して、熱が伝わりやすい。そのため、吹き出し口４１ａ・４１ｂから温かい風が吹き出された場合には、第２突起２３２は毛状部材１２よりも温度が高くなる傾向にある。一方、吹き出し口４１ａ・４１ｂから冷たい風が吹き出された場合には、第２突起３２は毛状部材１２よりも温度が低くなる傾向にある。第２突起２３２は、頭皮などの施術箇所に接触するため、ヘアケア装置２０１を使用するユーザは、温冷（温かさまたは冷たさ）をより感じやすい。そのため、ヘアケア装置２０１の使用時の快適性を向上させることができる。
【００８４】
なお、第１突起形成部２１には、第１突起２２を加熱するための第１ヒータ７３が備えられている。これにより、第１ヒータ７３を用いて第１突起２２を加熱したときに、第１突起２２を比較的高温にすることができる。そのため、ヘアケア装置１を用いた毛髪のスタイリングが行い易くなる。
【００８５】
（まとめ）
本発明の一局面にかかるヘアケア装置は、ブラシ部を備えている。ブラシ部は、複数の棒状部材（例えば、毛状部材１２）と、複数の第１突起を有する第１突起形成部と、前記棒状部材よりも熱伝導率が高く、かつ、前記第１突起よりも背の高い複数の第２突起を有する第２突起形成部とを有している。
【００８６】
上記の構成によれば、第２突起の熱伝導率が、棒状部材（例えば、毛状部材１２）の熱伝導率よりも高いため、周囲温度や吹き出す風の温度の影響をより受けやすくなる。また、第２突起の背の高さが第１突起よりも高くなっていることで、第２突起がより頭皮などの施術箇所に接触しやすくなる。そのため、ヘアケア装置の使用者は、第２突起の温冷（温かさまたは冷たさ）をより感じやすくなり、使用時に快適性をより向上させることができる。
【００８７】
上記の本発明の一局面にかかるヘアケア装置は、前記第１突起を加熱するための第１加熱部（例えば、第１ヒータ７３）をさらに備えていてもよい。そして、前記第２突起は、前記第１突起よりも温度が低いことが好ましい。この構成によれば、より背の高い第２突起を比較的低温にし、より背の低い第２突起を比較的高温にすることができる。これにより、頭皮などの施術箇所により近接する第２突起はユーザにとって快適な温度とすることができる一方、より高温の第１突起を用いて毛髪のスタイリングを行うことができる。
【００８８】
上記の本発明の一局面にかかるヘアケア装置は、前記第２突起を加熱するための第２加熱部（例えば、第２ヒータ７４）と、前記第１加熱部および前記第２加熱部を制御する制御部とをさらに備えていてもよい。そして、前記制御部は、前記第１加熱部がＯＮ状態のときに、前記第２加熱部のＯＮ状態とＯＦＦ状態とを切り換え可能に構成してもよい。
【００８９】
上記の本発明の一局面にかかるヘアケア装置において、前記第２突起は、弾性部材によって支持されていてもよい。
【００９０】
上記の本発明の一局面にかかるヘアケア装置において、前記第１突起は、固定されていてもよい。
【００９１】
上記の本発明の一局面にかかるヘアケア装置において、前記ブラシ部は、前記複数の棒状部材が配列されている第１ブラシ形成部と、第１ブラシ形成部に略平行に配置され、前記複数の棒状部材が配列されている第２ブラシ形成部とを有しており、前記第１ブラシ形成部と前記第２ブラシ形成部との間に、前記第１突起形成部および前記第２突起形成部が配置されていてもよい。
【００９２】
上記の構成によれば、第１ブラシ形成部および第２ブラシ形成部を植毛面の外側に配置させることで、第１ブラシ形成部および第２ブラシ形成部に形成されている棒状部材を用いて毛髪のブローやカールなどをより行い易くすることができる。
【００９３】
上記の本発明の一局面にかかるヘアケア装置は、帯電粒子発生部（例えば、イオン供給部７５）をさらに備えていてもよい。また、前記ブラシ部には、前記帯電粒子発生部で生成された帯電粒子が放出される吹き出し口が設けられており、前記吹き出し口は、前記第１ブラシ形成部および前記第２ブラシ形成部の外側に配置されていてもよい。
【００９４】
上記の構成によれば、帯電粒子を含む風を、第１ブラシ形成部および第２ブラシ形成部の外側から吹き出すことができる。これにより、第１ブラシ形成部および第２ブラシ形成部に設けられた棒状部材と毛髪とが接触することによって発生し得る静電気を、帯電粒子を含む風によって、ある程度抑制することができる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００９６】
１      ：ヘアケア装置
２      ：ブラシ部
３      ：把持部
１０    ：筐体
１１ａ  ：第１ブラシ形成部
１１ｂ  ：第２ブラシ形成部
１２    ：毛状部材（棒状部材）
２１    ：第１突起形成部
２２    ：第１突起
３１ａ  ：第２突起形成部
３１ｂ  ：第２突起形成部
３２    ：第２突起
３５    ：弾性部材
４１ａ  ：吹き出し口
４１ｂ  ：吹き出し口
７１    ：制御部
７２    ：温風発生部
７３    ：第１ヒータ（第１加熱部）
７４    ：第２ヒータ（第２加熱部）
７５    ：イオン供給部（帯電粒子発生部）
１０１  ：ヘアケア装置
２０１  ：ヘアケア装置
【図１】
2019122541.tif 000003
【図２】
2019122541.tif 000004
【図３】
2019122541.tif 000005
【図４】
2019122541.tif 000006
【図５】
2019122541.tif 000007
【図６】
2019122541.tif 000008
【図７】
2019122541.tif 000009
【図８】
2019122541.tif 000010